(57)【要約】【課題】本発明は、地図画像に示される地図の縮尺を縮小する際の利便性を向上させる地図表示技術を提供する【解決手段】  端末装置２０は、地物を示す地物データを地物データの属性別含む複数のレイヤデータ８１０を用いて地図画像ＭＰを生成し、地図画像ＭＰに示される地図の縮尺を縮小し、縮小後の地図画像ＭＰに先立って表示されるプレ地図画像ＰＳを生成し、プレ地図画像ＰＳは、縮小前の地図画像ＭＰに示される地図上の表示範囲に対応する対応領域ＤＲの周囲に、縮小後の地図画像ＭＰの生成に用いられる複数のレイヤデータ８１０のうち一部のレイヤデータ８１０に基づく地物が縮小後の縮尺で配置された地図画像である。【選択図】図５
2007114294.tif 000002
【特許請求の範囲】
【請求項１】
地図を示す地図画像の表示を行う地図表示装置であって、
地物を示す地物データを含む複数のレイヤデータを用いて前記地図画像を生成する地図生成部と、
前記地図画像に示される地図の縮尺を縮小する縮尺縮小部と、
前記縮小後の地図画像に先立って表示されるプレ地図画像を生成するプレ地図生成部と
を備え、
前記プレ地図画像は、前記縮小前の地図画像に示される地図上の表示範囲に対応する対応領域の周囲に、前記縮小後の地図画像の生成に用いられる複数のレイヤデータのうち一部のレイヤデータに基づく地物が前記縮小後の縮尺で配置された地図画像である地図表示装置。
【請求項２】
前記プレ地図生成部は、大きさを縮小した前記補正前の地図画像を、前記プレ地図画像上の前記対応領域に嵌め込む嵌込部を備える請求項１記載の地図表示装置。
【請求項３】
前記プレ地図生成部は、前記プレ地図画像上の前記対応領域を塗り潰す塗潰部を備える請求項１記載の地図表示装置。
【請求項４】
前記プレ地図生成部は、前記プレ地図画像上の前記対応領域を枠で縁取る縁取部を備える請求項１記載の地図表示装置。
【請求項５】
請求項１ないし４のいずれか記載の地図表示装置であって、更に、
前記複数のレイヤデータを記憶する記憶装置から、前記地図画像の生成に用いられる複数のレイヤデータを取得するデータ取得部と、
前記プレ地図画像から前記縮小後の地図画像への表示の移行を決定する縮小決定部と
を備え、
前記データ取得部は、
前記プレ地図画像が生成される際に、前記一部のレイヤデータを前記記憶装置から取得するプレ取得部と、
前記表示の移行が決定された後に、前記縮小後の地図画像の生成に用いられる残余のレイヤデータを前記記憶装置から取得する残余取得部と
を備え、
前記地図生成部は、前記プレ地図画像が生成される際に取得される一部のレイヤデータ、および、前記表示の移行が決定される後に取得される残余のレイヤデータを用いて、前記縮小後の地図画像を生成する縮小地図生成部を備える地図表示装置。
【請求項６】
前記データ取得部は、前記地図画像の生成に用いられる複数のレイヤデータを、前記記憶装置からネットワークを介して取得する請求項５記載の地図表示装置。
【請求項７】
更に、前記プレ地図画像の生成に用いられる一部のレイヤデータを、前記地図表示装置のユーザから入力される指示情報に基づいて選択するレイヤ選択部を備える請求項１ないし６のいずれか記載の地図表示装置。
【請求項８】
前記一部のレイヤデータは、前記地物を文字で示す地物データを含むレイヤデータ，前記地物を記号で示す地物データを含むレイヤデータ，前記地物を形状で示す地物データを含むレイヤデータの少なくとも一つのレイヤデータである請求項１ないし７のいずれか記載の地図表示装置。
【請求項９】
地図を示す地図画像をディスプレイに表示する地図表示方法であって、
地物を示す地物データを含む複数のレイヤデータを記憶装置に用意し、
前記記憶装置に記憶されている複数のレイヤデータを用いて前記地図画像を生成し、
前記地図画像に示される地図の縮尺を縮小し、
前記縮小後の地図画像に先立って表示されるプレ地図画像を生成し、
前記プレ地図画像は、前記縮小前の地図画像に示される地図上の表示範囲に対応する対応領域の周囲に、前記縮小後の地図画像の生成に用いられる複数のレイヤデータのうち一部のレイヤデータに基づく地物が前記縮小後の縮尺で配置された地図画像である地図表示方法。
【請求項１０】
地図を示す地図画像をディスプレイに表示する機能をコンピュータに実現させるためのプログラムであって、
地物を示す地物データを含む複数のレイヤデータを用いて前記地図画像を生成する機能と、
前記地図画像に示される地図の縮尺を縮小する機能と、
前記縮小後の地図画像に先立って表示されるプレ地図画像を生成する機能であって、前記プレ地図画像は、前記縮小前の地図画像に示される地図上の表示範囲に対応する対応領域の周囲に、前記縮小後の地図画像の生成に用いられる複数のレイヤデータのうち一部のレイヤデータに基づく地物が前記縮小後の縮尺で配置された地図画像である機能と
を実現させるためのプログラム。
【発明の詳細な説明】
【技術分野】
【０００１】
本発明は、地図を示す地図画像を表示する地図表示技術に関する。
【背景技術】
【０００２】
従来、地図画像に示される地図の縮尺を縮小する際に、縮小前後で切り替わる地図上の表示範囲の大きさの対比を示す地図表示技術があった。下記特許文献１，２には、従来の地図表示技術が開示されている。
【０００３】
【特許文献１】特開平４−２８７０８４号公報
【特許文献２】特開平９−５０２３３号公報
【発明の開示】
【発明が解決しようとする課題】
【０００４】
しかしながら、上記の従来技術では、縮小後の地図画像が実際に表示されるまでは、縮尺を縮小することによって表示されることとなる地図上の領域に何も表示されないため、ユーザは、縮小後の地図画像に所望の地物が示されるか否かを把握することができず、使い勝手が悪いという問題があった。例えば、所望の地物が縮小後の表示範囲外にある場合には、縮小後の地図画像を更に縮小する手間が必要であった。
【０００５】
本発明は、上記した課題を踏まえ、地図画像に示される地図の縮尺を縮小する際の利便性を向上させる地図表示技術を提供することを目的とする。
【課題を解決するための手段】
【０００６】
上記した課題を解決するため、本発明の地図表示装置は、地図を示す地図画像の表示を行う地図表示装置であって、地物を示す地物データを含む複数のレイヤデータを用いて地図画像を生成する地図生成部と、地図画像に示される地図の縮尺を縮小する縮尺縮小部と、縮小後の地図画像に先立って表示されるプレ地図画像を生成するプレ地図生成部とを備え、プレ地図画像は、縮小前の地図画像に示される地図上の表示範囲に対応する対応領域の周囲に、縮小後の地図画像の生成に用いられる複数のレイヤデータのうち一部のレイヤデータに基づく地物が縮小後の縮尺で配置された地図画像であることを特徴とする。これによって、縮小後の地図画像が表示される前に、縮小前の表示範囲と、縮小後の地図画像に示される一部の地物との間の対応関係が、プレ地図画像に示されるため、ユーザは、縮小後の地図画像に所望の地物が示されるか否かを認識し易くなり、所望の縮小レベルを適切に選択することができる。したがって、地図画像に示される地図の縮尺する際の利便性を向上させることができる。
【０００７】
前述の地図情報装置は、以下の形態を採ることもできる。例えば、プレ地図生成部は、大きさを縮小した前記補正前の地図画像を、プレ地図画像上の前記対応領域に嵌め込む嵌込部を備えても良い。これによって、プレ地図画像の生成で取り扱われるデータ量の増加を抑制しつつ、縮小前後の対応関係をより詳細に示すことができる。
【０００８】
また、プレ地図生成部は、プレ地図画像上の前記対応領域を塗り潰す塗潰部を備えても良い。これによって、プレ地図画像の生成に要するデータ処理量の低減を図り、プレ地図画像を表示して地図画像を縮小する際の処理速度を向上させることができる。
【０００９】
また、プレ地図生成部は、プレ地図画像上の対応領域を枠で縁取る縁取部を備えても良い。これによって、プレ地図画像の生成に要するデータ処理量の低減を図り、プレ地図画像を表示して地図画像を縮小する際の処理速度を向上させることができる。
【００１０】
また、地図情報装置は、更に、複数のレイヤデータを記憶する記憶装置から、地図画像の生成に用いられる複数のレイヤデータを取得するデータ取得部と、プレ地図画像から縮小後の地図画像への表示の移行を決定する縮小決定部とを備え、データ取得部は、プレ地図画像が生成される際に、一部のレイヤデータを記憶装置から取得するプレ取得部と、表示の移行が決定された後に、縮小後の地図画像の生成に用いられる残余のレイヤデータを記憶装置から取得する残余取得部とを備え、地図生成部は、プレ地図画像が生成される際に取得される一部のレイヤデータ、および、表示の移行が決定される後に取得される残余のレイヤデータを用いて、縮小後の地図画像を生成する縮小地図生成部を備えることとしても良い。これによって、プレ地図画像の表示に続いて縮小後の地図画像を表示する際に、縮小後の地図画像の生成するために地図表示装置と記憶装置との間でやり取りされるデータ量を抑制することができる。なお、データ取得部は、地図画像の生成に用いられる複数のレイヤデータを、記憶装置からネットワークを介して取得しても良い。
【００１１】
また、地図表示装置は、更に、プレ地図画像の生成に用いられる一部のレイヤデータを、地図表示装置のユーザから入力される指示情報に基づいて選択するレイヤ選択部を備えても良い。これによって、ユーザが所望する地物を適切にプレ地図画像に示すことができる。例えば、ユーザが地図を用いて宿泊施設を検索する場合には、宿泊施設に関する地物データを含むレイヤデータを用いて生成されるプレ地図画像を提供することができ、また、ユーザが目的地までの経路を検索する場合には、道路に関する地物データを含むレイヤデータを用いて生成されるプレ地図画像を提供することができる。
【００１２】
また、一部のレイヤデータは、地物を文字で示す地物データを含むレイヤデータ，地物を記号で示す地物データを含むレイヤデータ，地物を形状で示す地物データを含むレイヤデータの少なくとも一つのレイヤデータであっても良い。これによって、縮小前の表示範囲と、縮小後の地図画像に示される一部の地物との間の対応関係がユーザに一層認識され易いプレ地図画像を提供することができる。
【００１３】
また、本発明の形態は、地図情報装置に限るものではなく、例えば、地図表示装置および記憶装置を備える地図表示システムや、地図画像をディスプレイに表示する地図表示方法、地図画像をディスプレイに表示する機能をコンピュータに実現させるためのプログラムなどに適用することもできる。また、本発明は、前述の形態に何ら限定されるものではなく、本発明の趣旨を逸脱しない範囲内において様々な形態で実施し得ることは勿論である。
【発明を実施するための最良の形態】
【００１４】
以上説明した本発明の構成および作用を一層明らかにするために、以下本発明を適用した地図表示技術について説明する。
【００１５】
Ａ．地図表示システム１０の構成：
図１は、地図表示システム１０の概略構成を示す説明図である。地図表示システム１０は、地図を示す地図画像ＭＰを表示する地図表示装置としての機能を有する携帯電話システムの携帯電話機である端末装置２０と、携帯電話網，固定電話網，インターネット，ＷＡＮ(Wide Area Network)，ＬＡＮ(Local Area Network)などで構成されるネットワーク４０と、端末装置２０と無線通信を行うことによって端末装置２０をネットワーク４０に接続する携帯電話システムの基地局である基地局装置３０と、地物を示す地物データを地物データの属性別に含む複数のレイヤデータ８１０を有する地図データ８０を記憶する記憶装置６０と、記憶装置６０に記憶される地図データ８０を端末装置２０からの要求に基づいてネットワーク４０を介して端末装置２０に提供する地図サーバ５０と、ＧＰＳ（Global Positioning System）信号を送信する測地衛星９１０とを備える。
【００１６】
図２は、端末装置２０の内部構成を機能的に示すブロック図である。端末装置２０は、端末装置２０の各部を制御する制御部２１０と、画像を表示するディスプレイ部２２０と、端末装置２０のユーザからの情報の入力を受け付ける複数のボタンを有する入力ボタン部２３０と、音声を出力するスピーカ２６０と、音声の入力を受け付けるマイク２７０と、測地衛星９１０から送信されるＧＰＳ信号を受信するＧＰＳ受信部２５０と、基地局装置３０との間で無線通信によるデータの送受信を行う無線通信部２４０とを備える。端末装置２０の制御部２１０は、端末装置２０のユーザによる音声通話を実現する通話部２１２と、地図データ８０およびＧＰＳ信号に基づいてディスプレイ部２２０に地図画像ＭＰを表示して現在地の図示や経路の案内を行う地図提供部２１４とを備える。
【００１７】
本実施例では、制御部２１０は、セントラルプロセッシングユニット（Central Processing Unit、以下、ＣＰＵという）,リードオンリメモリ（Read Only Memory、以下、ＲＯＭという）,ランダムアクセスメモリ（Random Access Memory、以下、ＲＡＭという）などのハードウェアの他、端末装置２０の各部とのインタフェースや、通話部２１２および地図提供部２１４の各機能を実現させるハードウェアを備えるコンピュータである。本実施例では、制御部２１０には、オペレーティングシステムの他、通話部２１２および地図提供部２１４の各機能を実現させるプログラムなどのアプリケーションソフトウェアがインストールされている。制御部２１０の動作についての詳細は後述する。
【００１８】
本実施例では、ディスプレイ部２２０は、液晶ディスプレイ（Liquid Crystal Display, LCD)を採用するが、ＥＬディスプレイ(Electro Luminescence Display)を採用しても良い。また、本実施例では、端末装置２０のユーザからの情報の入力を受け付ける手段として、入力ボタン部２３０を採用するが、ディスプレイ部２２０にタッチパネルを採用し、入力ボタン部２３０によって行われる入力の受け付けの少なくとも一部をタッチパネルで行うこととしても良い。
【００１９】
図３は、端末装置２０のディスプレイ部２２０に表示されるナビゲーション画面７００の一例を示す説明図である。図３のナビゲーション画面７００は、制御部２１０の地図提供部２１４による動作に基づいてディスプレイ部２２０に表示される画面である。ナビゲーション画面７００は、地図画像ＭＰを表示する地図表示部７１０と、地図画像ＭＰに示される地図の縮尺を拡大・縮小するＧＵＩ(Graphical User Interface)である縮尺レベル調整部７２０と、地図画像ＭＰに示される地図の縮尺を表示する縮尺表示部７３０とを有する。地図表示部７１０に表示される地図画像ＭＰは、記憶装置６０に記憶されている地図データ８０に基づいて、制御部２１０の地図提供部２１４によって生成される。
【００２０】
本実施例では、地図表示部７１０には、端末装置２０の現在地を示す現在地マーカＰＬが、地図画像ＭＰ上に重ね合わせて表示される。縮尺レベル調整部７２０は、縮尺レベルマーカ７２５を有し、本実施例では、端末装置２０のユーザが入力ボタン部２３０を操作することによって、縮尺レベルマーカ７２５が上下に移動し、地図画像ＭＰに示される地図の縮尺が変更される。本実施例では、縮尺レベルマーカ７２５が上方に移動するのに伴い地図画像ＭＰに示される地図の縮尺は拡大され、縮尺レベルマーカ７２５が下方に移動するに伴い地図画像ＭＰに示される地図の縮尺は縮小される。図３のナビゲーション画面７００では、地図表示部７１０に、縮尺「１／１５００」の地図画像ＭＰが表示され、縮尺レベル調整部７２０に、縮尺レベルマーカ７２５が縮尺「１／１５００」の位置に表示され、縮尺表示部７３０に、縮尺「１／１５００」の文字情報が表示されている。
【００２１】
図１の説明に戻り、本実施例では、地図サーバ５０は、ＣＰＵ，ＲＯＭ，ＲＡＭ，ハードディスクドライブ(Hard Disk Drive、以下、ＨＤＤという)，各種インタフェースを備えるサーバコンピュータであり、地図サーバ５０には、オペレーティングシステムの他、記憶装置６０に記憶される地図データ８０を端末装置２０に提供する機能を実現させるプログラムなどのアプリケーションソフトウェアがインストールされている。本実施例では、記憶装置６０は、地図サーバ５０の外部記憶装置としてのＨＤＤであるが、記憶装置６０は、地図サーバ５０に内蔵されても良いし、ＤＶＤ(Digital Versatile Disk)やＣＤ(Compact Disk),半導体メモリなどを用いる記憶装置であっても良い。
【００２２】
図４は、地図データ８０を構成する複数のレイヤデータ８１０のデータ構成の一例を示す説明図である。図４には、複数のレイヤデータ８１０の各々に割り当てられる識別子を示すレイヤデータＩＤ８１２０と、各レイヤデータ８１０にそれぞれ分類される地物データの属性を示す地物属性８１４０と、各レイヤデータ８１０に含まれる地物データによる地物の表現方式を示すデータ種類８１６０とが示されている。なお、本実施例では、地図データ８０は、地図の縮尺レベルに対応する複数のレイヤデータ群を含み、縮尺レベルに応じて適切なレイヤデータ群が地図画像ＭＰの生成に用いられることによって、視認性に優れた地図画像ＭＰが生成される。
【００２３】
本実施例では、データ種類８１６０が「線」であるレイヤデータ８１０は、地物データとして、地物を表現する線の軌跡を複数の点によって示す点列データと、各線の線種，幅，色などを示すデータとを含む。例えば、図４の例では、「Ａ００１」として識別されるレイヤデータ８１０は、都道府県の境界の形状を線図で示す地図データであり、「Ａ００５」として識別されるレイヤデータ８１０は、一般道の交通網の形状を線図で示す地図データであり、「Ａ００６」として識別されるレイヤデータ８１０は、鉄道の交通網の形状を線図で示す地図データである。
【００２４】
また、本実施例では、データ種類８１６０が「ポリゴン」であるレイヤデータ８１０は、地物データとして、地物を表現する形状をポリゴンで示すポリゴンデータの他、各ポリゴンを塗り潰す色を示すデータや、各ポリゴンを囲む線の線種，幅，色などを示すデータを含む。例えば、図４の例では、「Ｂ００１」として識別されるレイヤデータ８１０は、鉄道の駅舎の形状をポリゴンで示す地図データであり、「Ｂ００２」として識別されるレイヤデータ８１０は、緑地や公園の敷地の形状をポリゴンで示す地図データであり、「Ｂ００３」として識別されるレイヤデータ８１０は、河川や湖沼，海などの敷地の形状をポリゴンで示す地図データであり、「Ｂ００４」として識別されるレイヤデータ８１０は、建物や施設などの建造物の敷地の形状をポリゴンで示す地図データである。
【００２５】
また、本実施例では、データ種類８１６０が「記号」であるレイヤデータ８１０は、地物データとして、規格化されている一般地図記号で地物を表現する画像データと、各地図記号を配置する座標データとを含み、データ種類８１６０が「記号＋文字」であるレイヤデータ８１０は、規格化されている地図記号で地物を表現する画像データと、各地図記号を配置する座標データと、各地図記号に付される文字データとを含む。例えば、図４の例では、「Ｃ００１」として識別されるレイヤデータ８１０は、一般地図記号で地物を示す地図データであり、「Ｃ００２」として識別されるレイヤデータ８１０は、国道番号が付された国道記号で国道を示す地図データであり、「Ｃ００３」として識別されるレイヤデータ８１０は、県道番号が付された県道記号で県道を示す地図データである。
【００２６】
また、本実施例では、データ種類８１６０が「文字」であるレイヤデータ８１０は、地物データとして、地物の名称を示す文字データと、各文字データを配置する座標データとを含む。例えば、図４の例では、「Ｄ００１」として識別されるレイヤデータ８１０は、都道府県の名称で都道府県を示す地図データであり、「Ｄ００６」として識別されるレイヤデータ８１０は、一般道の路線の名称で一般道を示す地図データであり、「Ｄ００７」として識別されるレイヤデータ８１０は、交差点の名称で交差点を示す地図データであり、「Ｄ００８」として識別されるレイヤデータ８１０は、鉄道の路線の名称で鉄道を示す地図データであり、「Ｄ００９」として識別されるレイヤデータ８１０は、駅の名称で駅を示す地図データであり、「Ｄ０１２」として識別されるレイヤデータ８１０は、建物や施設などの名称で建造物を示す地図データである。
【００２７】
また、本実施例では、データ種類８１６０が「特殊記号」であるレイヤデータ８１０は、地物データとして、規格化されていない特殊記号で地物を表現する画像データと、各特殊記号を配置する座標データとを含む。例えば、図４の例では、「Ｅ００１」として識別されるレイヤデータ８１０は、旅館やホテルなどの宿泊施設を示す特殊記号で宿泊施設を示す地図データであり、「Ｅ００２」として識別されるレイヤデータ８１０は、デパートやコンビニエンスストアなどの商業施設を示す特殊記号で商業施設を示す地図データであり、「Ｅ００３」として識別されるレイヤデータ８１０は、遊園地やゴルフ場などのレジャー施設を示す特殊記号でレジャー施設を示す地図データである。
【００２８】
Ｂ．地図表示システム１０の動作：
図５は、地図表示システム１０の端末装置２０が実行する地図縮小処理を示すフローチャートである。図５の地図縮小処理は、端末装置２０の制御部２１０によってソフトウェアに基づき実行される処理であり、ナビゲーション画面７００が表示されている際に、地図画像ＭＰに示される地図の縮尺を縮小する指示が、端末装置２０のユーザから縮尺レベル調整部７２０を介して入力された場合に実行される処理である。
【００２９】
端末装置２０の制御部２１０は、図５の地図縮小処理を開始すると、端末装置２０のユーザから縮尺レベル調整部７２０を介して入力された縮小レベルを受け付ける（ステップＳ１１０）。その後、制御部２１０は、受け付けられた縮小レベルで地図を示す地図画像ＭＰの生成に用いられる複数のレイヤデータ８１０の中から一部のレイヤデータ８１０を選択する（ステップＳ１２０）。
【００３０】
本実施例では、選択される一部のレイヤデータ８１０は、端末装置２０のユーザから入力される指示情報に基づいて選択されるものであるが、デフォルトとして予め設定されていても良い。本実施例では、一部のレイヤデータ８１０を選択するための指示情報は、ナビゲーション画面７００が表示される前に、端末装置２０のユーザから受け付けられた情報であるが、縮小レベルと共に受け付けることとしても良い。例えば、端末装置２０のユーザから地図画像ＭＰを用いて宿泊施設を検索する指示情報に基づいてナビゲーション画面７００が表示される場合には、宿泊施設に関するレイヤデータ８１０が、一部のレイヤデータ８１０として選択される。また、例えば、端末装置２０のユーザから地図画像ＭＰを用いて目的地までの経路を検索する指示情報に基づいてナビゲーション画面７００が表示される場合には、道路に関するレイヤデータ８１０が、一部のレイヤデータ８１０として選択される。
【００３１】
一部のレイヤデータ８１０が選択されると（ステップＳ１２０）、制御部２１０は、選択された一部のレイヤデータ８１０を地図サーバ５０に要求して、記憶装置６０に記憶されている一部のレイヤデータ８１０を取得する（ステップＳ１３０）。その後、制御部２１０は、取得された一部のレイヤデータ８１０を用いてプレ地図画像ＰＳを生成する（ステップＳ１４０）。
【００３２】
図６は、プレ地図画像ＰＳが生成される様子の一例を示す説明図である。図６の例では、縮小後の地図画像ＭＰに用いられる複数のレイヤデータ８１０は、「Ａ００５」として識別され「一般道形状」を示すレイヤデータ８１０と、「Ａ００６」として識別され「鉄道形状」を示すレイヤデータ８１０と、「Ｂ００１」として識別され「駅舎形状」を示すレイヤデータ８１０と、「Ｄ００９」として識別され「駅名」を示すレイヤデータ８１０と、「Ｅ００１」として識別され「建物（宿泊施設）」を示すレイヤデータ８１０である。本実施例では、これらのレイヤデータ８１０のうち、「Ｅ００１」として識別されるレイヤデータ８１０が、一部のレイヤデータ８１０として、プレ地図画像ＰＳの生成に用いられる（ステップＳ１４０）。本実施例では、プレ地図画像ＰＳには、縮小前の地図画像ＭＰによって表示されていた地図上の表示範囲に対応する対応領域ＤＲが縮小後の縮尺で示される。本実施例では、対応領域ＤＲは、プレ地図画像ＰＳにおける他の領域と識別可能な色で塗り潰されると共に枠で縁取りされる。
【００３３】
図５の説明に戻り、プレ地図画像ＰＳが生成された後（ステップＳ１４０）、制御部２１０は、生成されたプレ地図画像ＰＳをディスプレイ部２２０に表示する（ステップＳ１５０）。
【００３４】
図７は、プレ地図画像ＰＳを表示するナビゲーション画面７００の一例を示す説明図である。図７のナビゲーション画面７００は、図３に示す状態で縮尺が「１／１５００」から「１／３０００」に縮小される際に、プレ地図画像ＰＳが表示される状態を示す。図７のナビゲーション画面７００では、地図表示部７１０に、縮尺「１／１５００」の地図画像ＭＰに代わって、縮尺「１／３０００」のプレ地図画像ＰＳが表示されている。プレ地図画像ＰＳには、「Ｈ」の文字を円で囲んだ特殊記号で「建物（宿泊施設）」の場所が示され、プレ地図画像ＰＳの中央には、縮尺「１／１５００」の地図画像ＭＰによって表示されていた地図上の対応領域ＤＲが示される。図７のナビゲーション画面７００では、縮尺レベル調整部７２０に、縮尺レベルマーカ７２５が、縮尺「１／１５００」の位置から下方の縮尺「１／３０００」の位置に表示され、縮尺表示部７３０に、縮尺「１／１５００」に代わって縮尺「１／３０００」の文字情報が表示されている。
【００３５】
図５の説明に戻り、プレ地図画像ＰＳが表示された後（ステップＳ１５０）、制御部２１０は、縮小レベルを確定するか否かを判断する（ステップＳ１６０）。本実施例では、端末装置２０のユーザから入力ボタン部２３０を介して縮小レベルを確定する指示情報が入力された場合に縮小レベルが確定されるが、予め設定された時間が経過する場合に縮小レベルが確定されることとしても良い。縮小レベルが確定されない場合には（ステップＳ１６０）、制御部２１０は、縮小レベルの入力からプレ地図画像ＰＳの表示までの処理を、縮小レベルが確定されるまで繰り返し実行する（ステップＳ１１０〜Ｓ１６０）。
【００３６】
縮小レベルが確定される場合には（ステップＳ１６０）、制御部２１０は、受け付けられた縮小レベルの地図画像ＭＰの生成に用いられる複数のレイヤデータ８１０のうち、選択された一部のレイヤデータ８１０以外の残余のレイヤデータ８１０を地図サーバ５０に要求して、記憶装置６０に記憶されている残余のレイヤデータ８１０を取得する（ステップＳ１７０）。その後、制御部２１０は、取得された残余のレイヤデータ８１０と、プレ地図画像ＰＳの生成に用いた一部のレイヤデータ８１０とを用いて、受け付けられた縮小レベルの地図を示す地図画像ＭＰを生成する（ステップＳ１８０）。
【００３７】
図８は、縮小後の地図画像ＭＰが生成される様子の一例を示す説明図である。図８の例では、縮小後の地図画像ＭＰに用いられる複数のレイヤデータ８１０は、図６の例と同様である。本実施例では、プレ地図画像ＰＳが生成される際に取得された「Ｅ００１」として識別されるレイヤデータ８１０に加え、縮小レベルの確定後に取得された「Ａ００５」，「Ａ００６，」「Ｂ００１」，「Ｄ００９」として識別されるレイヤデータ８１０が重ね合わされて、縮小後の地図画像ＭＰが生成される（ステップＳ１８０）。
【００３８】
図５の説明に戻り、縮小後の地図画像ＭＰが生成された後（ステップＳ１８０）、制御部２１０は、生成された縮小後の地図画像ＭＰをディスプレイ部２２０に表示し（ステップＳ１９０）、図５の地図縮小処理を終了する。
【００３９】
図９は、縮小後の地図画像ＭＰを表示するナビゲーション画面７００の一例を示す説明図である。図９のナビゲーション画面７００は、図７に示す状態で縮尺が「１／３０００」で確定された際に、縮小後の地図画像ＭＰが表示される状態を示す。図９のナビゲーション画面７００では、地図表示部７１０に、縮尺「１／３０００」のプレ地図画像ＰＳに代わって、縮尺「１／３０００」の地図画像ＭＰが表示され、縮尺レベル調整部７２０に、縮尺レベルマーカ７２５が縮尺「１／３０００」の位置に表示され、縮尺表示部７３０に、縮尺「１／３０００」の文字情報が表示される。
【００４０】
以上説明した地図表示システム１０によれば、縮小後の地図画像ＭＰが表示される前に、縮小前の対応領域ＤＲと、縮小後の地図画像ＭＰに示される一部の地物との間の対応関係が、プレ地図画像ＰＳに示されるため、ユーザは、縮小後の地図画像ＭＰに所望の地物が示されるか否かを認識し易くなり、所望の縮小レベルを適切に選択することができる。したがって、地図画像ＭＰに示される地図の縮尺する際の利便性を向上させることができる。
【００４１】
また、プレ地図画像ＰＳの生成に用いられた一部のレイヤデータ８１０が、縮小後の地図画像ＭＰの生成に用いられるため（ステップＳ１８０）、プレ地図画像ＰＳの表示に続いて縮小後の地図画像ＭＰを表示する際に、縮小後の地図画像ＭＰの生成するために端末装置２０と記憶装置６０との間でやり取りされるデータ量を抑制することができる。また、プレ地図画像ＰＳの生成に用いられる一部のレイヤデータ８１０が、ユーザからの指示情報に基づいて選択されるため（ステップＳ１２０）、ユーザが所望する地物を適切にプレ地図画像ＰＳに示すことができる。また、プレ地図画像ＰＳには、地物を示す特殊記号が、縮小前の対応領域ＤＲと共に表示されるため（図７）、縮小前の対応領域ＤＲと、縮小後の地図画像ＭＰに示される一部の地物との間の対応関係がユーザに一層認識され易いプレ地図画像ＰＳを提供することができる。
【００４２】
また、プレ地図画像ＰＳにおける対応領域ＤＲの部分は、プレ地図画像ＰＳにおける他の領域と識別可能な色で塗り潰されるため、プレ地図画像ＰＳの生成に要するデータ処理量の低減を図り、プレ地図画像ＰＳを表示して地図画像ＭＰを縮小する際の処理速度を向上させることができる。また、プレ地図画像ＰＳにおける対応領域ＤＲの部分は、枠で縁取りされるため、プレ地図画像ＰＳの生成に要するデータ処理量の低減を図り、プレ地図画像ＰＳを表示して地図画像ＭＰを縮小する際の処理速度を向上させることができる。
【００４３】
Ｃ．その他の実施形態：
以上、本発明の実施の形態について説明したが、本発明はこうした実施の形態に何ら限定されるものではなく、本発明の趣旨を逸脱しない範囲内において様々な形態で実施し得ることは勿論である。例えば、本実施例では、地図表示システム１０の端末装置２０は、携帯電話機であるが、無線ローカルエリアネットワーク（Local Area Network, LAN）の端末装置であっても良いし、地図表示専用の携帯端末であっても良いし、車載のカーナビゲーション装置であっても良い。また、本実施例では、地図データ８０は、端末装置２０にネットワーク４０等を介して接続される記憶装置６０に記憶されることとしたが、端末装置２０に記憶装置６０を内蔵または外付けすることとしても良い。
【００４４】
また、本実施例では、プレ地図画像ＰＳにおける対応領域ＤＲを塗り潰すと共に枠で囲むことによって表示したが、プレ地図画像ＰＳに対応領域ＤＲを表示しなくても良い。また、プレ地図画像ＰＳにおける対応領域ＤＲの部分には、大きさが縮小された縮小前の地図画像ＭＰが嵌め込まれても良い。図１０は、他の実施形態におけるプレ地図画像ＰＳを表示するナビゲーション画面７００の一例を示す説明図である。図１０のナビゲーション画面７００は、プレ地図画像ＰＳの対応領域ＤＲに、大きさが縮小された縮小前の地図画像ＭＰが嵌め込まれている点以外は、図７のナビゲーション画面７００と同様である。図１０の対応領域ＤＲに嵌め込まれている地図画像ＭＰは、図３のナビゲーション画面７００に表示されていた地図画像ＭＰの大きさを縮小した画像である。この実施形態の場合には、プレ地図画像ＰＳの生成で取り扱われるデータ量の増加を抑制しつつ、縮小前後の対応関係をより詳細に示すことができる。
【００４５】
また、プレ地図画像ＰＳにおける対応領域ＤＲを塗り潰すことなく枠Ｆで囲んでも良い。図１１は、他の実施形態におけるプレ地図画像ＰＳを表示するナビゲーション画面７００の一例を示す説明図である。図１１のナビゲーション画面７００は、プレ地図画像ＰＳの対応領域ＤＲを塗り潰すことなく枠Ｆで囲む点以外は、図７のナビゲーション画面７００と同様である。図１１のナビゲーション画面７００における枠Ｆの内部には、縮小後の地図画像ＭＰに用いられる複数のレイヤデータ８１０のうち、プレ地図画像ＰＳの生成で用いられるレイヤデータ８１０によって表現される地図情報が示される。これによって、プレ地図画像ＰＳの生成で取り扱われるデータ量の増加を抑制することができる。
【００４６】
また、プレ地図画像ＰＳの生成に用いられる一部のレイヤデータ８１０は、一つに限るものではなく、二以上のレイヤデータ８１０を用いても良い。また、プレ地図画像ＰＳの生成に用いられる一部のレイヤデータ８１０は、地物を示す特殊記号を配置するレイヤデータ８１０に限るものではなく、縮小後の地図画像ＭＰの生成に用いられるレイヤデータ８１０であればいずれを用いても良い。
【００４７】
また、本実施例では、地図画像ＭＰの縮尺を縮小する際に、プレ地図画像ＰＳが表示されることとしたが、本発明を地図画像ＭＰの縮尺を拡大する際に適用しても良い。例えば、地図画像ＭＰの縮尺を拡大する際に、拡大後の地図画像ＭＰの生成に用いられる複数のレイヤデータの一部を用いてプレ拡大画像を生成し、拡大後の地図画像ＭＰの表示に先立ってプレ拡大画像を表示しても良い。また、例えば、地図画像ＭＰの縮尺を拡大する際に、拡大前の地図画像ＭＰの生成に用いられる複数のレイヤデータの一部を用いてプレ地図画像ＰＳを生成し、拡大後の地図画像ＭＰの表示に先立ってプレ地図画像ＰＳを表示しても良い。
【００４８】
また、本実施例では、地図画像ＭＰの縮尺を縮小する際に、プレ地図画像ＰＳが表示されることとしたが、本発明を地図画像ＭＰによって表示される表示位置を移動する際に適用して、プレ地図画像ＰＳ上で表示位置の移動が実行されることとしても良い。この場合には、記憶装置６０から取得される一部のレイヤデータ８１０は、縮小される地図画像ＭＰにおける表示範囲に相当するレイヤデータ８１０に加え、縮小される地図画像ＭＰにおける表示範囲に隣接する領域に相当するレイヤデータ８１０を含むこととしても良い。
【図面の簡単な説明】
【００４９】
【図１】地図表示システム１０の概略構成を示す説明図である。
【図２】端末装置２０の内部構成を機能的に示すブロック図である。
【図３】端末装置２０のディスプレイ部２２０に表示されるナビゲーション画面７００の一例を示す説明図である。
【図４】地図データ８０を構成する複数のレイヤデータ８１０のデータ構成の一例を示す説明図である。
【図５】地図表示システム１０の端末装置２０が実行する地図縮小処理を示すフローチャートである。
【図６】プレ地図画像ＰＳが生成される様子の一例を示す説明図である。
【図７】プレ地図画像ＰＳを表示するナビゲーション画面７００の一例を示す説明図である。
【図８】縮小後の地図画像ＭＰが生成される様子の一例を示す説明図である。
【図９】縮小後の地図画像ＭＰを表示するナビゲーション画面７００の一例を示す説明図である。
【図１０】他の実施形態におけるプレ地図画像ＰＳを表示するナビゲーション画面７００の一例を示す説明図である。
【図１１】他の実施形態におけるプレ地図画像ＰＳを表示するナビゲーション画面７００の一例を示す説明図である。
【符号の説明】
【００５０】
１０…地図表示システム
２０…端末装置
３０…基地局装置
４０…ネットワーク
５０…地図サーバ
６０…記憶装置
８０…地図データ
２１０…制御部
２１２…通話部
２１４…地図提供部
２２０…ディスプレイ部
２３０…入力ボタン部
２４０…無線通信部
２５０…ＧＰＳ受信部
２６０…スピーカ
２７０…マイク
７００…ナビゲーション画面
７１０…地図表示部
７２０…縮尺レベル調整部
７２５…縮尺レベルマーカ
７３０…縮尺表示部
８１０…レイヤデータ
８１２０…レイヤデータＩＤ
８１４０…地物属性
８１６０…データ種類
９１０…測地衛星
ＤＲ…対応領域
ＭＰ…地図画像
ＰＬ…現在地マーカ
ＰＳ…プレ地図画像
【図１】
2007114294.tif 000003
【図２】
2007114294.tif 000004
【図３】
2007114294.tif 000005
【図４】
2007114294.tif 000006
【図５】
2007114294.tif 000007
【図６】
2007114294.tif 000008
【図７】
2007114294.tif 000009
【図８】
2007114294.tif 000010
【図９】
2007114294.tif 000011
【図１０】
2007114294.tif 000012
【図１１】
2007114294.tif 000013